(57)【要約】【課題】除電能力を高めることを目的とする。【解決手段】除電装置２１において、スイッチ回路２８がオンオフ動作を連続的に行うと、高電圧発生回路２４が基準電圧発生回路２５から出力された高電圧を基準として充電動作および放電動作を行い、高電圧発生回路２４から出力された正極性の高電圧と基準電圧発生回路２５から基準電圧として出力された負極性の高電圧とが合成された高電圧と、基準電圧発生回路２５から基準電圧として出力された負極性の高電圧とが放電電極２６に交互に印加されることにより、放電電極２６から正極性のイオンと負極性のイオンとが交互に放出される。【選択図】　図１
2004055442.tif 000002
【特許請求の範囲】
【請求項１】
電源から印加された電圧を昇圧し、正極性および負極性のうちの一方の極性の高電圧を発生する高電圧発生手段と、
電源から印加された電圧を昇圧し、前記高電圧発生手段から発生される高電圧の略２分の１であって且つ正極性および負極性のうちの他方の極性の高電圧を基準電圧として発生する基準電圧発生手段と、
一方の極性の高電圧が印加されることにより、一方の極性のイオンを放出すると共に、他方の極性の高電圧がインピーダンス手段を介して印加されることにより、他方の極性のイオンを放出する放電電極と、
前記電源から前記高電圧発生手段への電圧の印加をオンオフするためのオンオフ動作を行うスイッチ手段とを備え、
前記高電圧発生手段は、前記スイッチ手段がオンオフ動作を連続的に行うことに応じて、前記基準電圧発生手段から基準電圧として出力された高電圧を基準として充電動作および放電動作を連続的に行って高電圧を断続的に出力し、
前記放電電極は、前記高電圧発生手段が高電圧を断続的に出力することに応じて、前記高電圧発生手段から出力された一方の極性の高電圧と前記基準電圧発生手段から基準電圧として出力された他方の極性の高電圧とが合成された高電圧と、前記基準電圧発生手段から基準電圧として出力された他方の極性の高電圧とが交互に印加されることにより、一方の極性のイオンと他方の極性のイオンとを交互に放出することを特徴とする除電装置。
【請求項２】
前記インピーダンス手段に対して並列に接続され、前記スイッチ手段に連動し、前記スイッチ手段におけるオンオフ動作とは反対のオンオフ動作を行う別のスイッチ手段を備えたことを特徴とする請求項１に記載した除電装置。
【発明の詳細な説明】
【０００１】
【発明の属する技術分野】
本発明は、放電電極から正極性のイオンと負極性のイオンとを交互に放出させる除電装置に関する。
【０００２】
【発明が解決しようとする課題】
従来より、特開２０００−５８２９０に開示されているように、放電電極から正極性のイオンと負極性のイオンとを交互に放出させ、これら正極性のイオンと負極性のイオンとを帯電している被除電対象物に吹付けることにより、被除電対象物を除電する除電装置が供されている。図５は、特開２０００−５８２９０に開示されている従来の除電装置の電気的な構成を示している。
【０００３】
除電装置１において、電源２は、電圧を出力する。スイッチ回路３は、電源２から出力された電圧を正極性の高電圧発生回路４に印加させるための給電経路を開閉し、スイッチ回路５は、電源２から出力された電圧を負極性の高電圧発生回路６に印加させるための給電経路を開閉する。
【０００４】
正極性の高電圧発生回路４は、トランス７と、４個のコンデンサおよび４個のダイオードが組合わされてなる倍電圧整流回路８とから構成され、電源２から出力された電圧がスイッチ回路３を介して印加されると、印加された電圧をトランス７にて昇圧し、昇圧された電圧を倍電圧整流回路８にて昇圧・整流し、正極性の高電圧を発生して出力する。
【０００５】
負極性の高電圧発生回路６は、トランス９と、４個のコンデンサおよび４個のダイオードが組合わされてなる倍電圧整流回路１０とから構成され、電源２から出力された電圧がスイッチ回路５を介して印加されると、印加された電圧をトランス９にて昇圧し、昇圧された電圧を倍電圧整流回路１０にて昇圧・整流し、負極性の高電圧を発生して出力する。
【０００６】
正極性の高電圧発生回路４と放電電極１１との間に接続されている抵抗１２および負極性の高電圧発生回路６と放電電極１１との間に接続されている抵抗１３は、それぞれインピーダンスとして作用する。放電電極１１は、正極性の高電圧発生回路４から抵抗１２を介して正極性の高電圧が印加され、印加された正極性の高電圧が正側の放電開始電圧まで到達すると、正極性のイオンの放出を開始し、一方、負極性の高電圧発生回路６から抵抗１３を介して負極性の高電圧が印加され、印加された負極性の高電圧が負側の放電開始電圧まで到達すると、負極性のイオンの放出を開始する。
【０００７】
このような構成によれば、制御装置１４は、スイッチ回路３およびスイッチ回路５に一方がオンすると同時に他方がオフするようなオンオフ動作を連続的に行わせると、正極性の高電圧発生回路４から正極性のパルス状の高電圧と負極性の高電圧発生回路６から負極性のパルス状の高電圧とを放電電極１１に交互に印加させることにより、放電電極１１から正極性のイオンと負極性のイオンとを交互に放出させることができる。そして、これら正極性のイオンと負極性のイオンとを帯電している被除電対象物に吹付けることにより、被除電対象物を除電することができる。
【０００８】
ところで、制御装置１４がスイッチ回路３およびスイッチ回路５に一方がオンすると同時に他方がオフするようなオンオフ動作を連続的に行わせる構成では、正極性の高電圧発生回路４および負極性の高電圧発生回路６においては、一方の高電圧発生回路内のコンデンサに電荷を蓄積する充電動作と、他方の高電圧発生回路内のコンデンサから電荷を放出する放電動作とを同時に行うことになる。
【０００９】
ところが、このように一方の高電圧発生回路内のコンデンサに電荷を蓄積する充電動作と、他方の高電圧発生回路内のコンデンサから電荷を放出する放電動作とを同時に行う構成では、以下に示すような不具合がある。
【００１０】
すなわち、上記した除電装置１では、正極性の高電圧発生回路４および負極性の高電圧発生回路６は、それぞれが接地レベル（０ボルト）を基準として充電動作および放電動作を行うように構成されている。この場合、インピーダンスとして作用する抵抗１２および１３の抵抗値は、正極性の高電圧発生回路４および負極性の高電圧発生回路６が充電動作を適切に行えるように大きく設定されている。しかしながら、その一方で、放電時間がコンデンサの静電容量と抵抗１２や抵抗１３の抵抗値との積である時定数により決定されるという事情から、抵抗１２および抵抗１３の抵抗値が大きく設定されていると、正極性の高電圧発生回路４および負極性の高電圧発生回路６が放電動作を行うときの放電時間が長くなる。
【００１１】
そのため、上記したように、一方の高電圧発生回路内のコンデンサに電荷を蓄積する充電動作と、他方の高電圧発生回路内のコンデンサから電荷を放出する放電動作とを同時に行うことになると、一方の高電圧発生回路が充電動作を行うときの充電速度が他方の高電圧発生回路における放電動作の悪影響により鈍化されることになる。その結果、図７（ｂ）に示すように、放電電極１１に印加されるパルス状の高電圧が正側の放電開始電圧（図７中「＋Ｖａ」参照）まで到達するのに要する立上がり時間（図７中「Ｔ１」参照）が長くなると共に、負側の放電開始電圧まで到達するのに要する立下がり時間（図７中「Ｔ３」参照）が長くなる。
【００１２】
そして、このように立上がり時間および立下がり時間が長くなると、放電電極１１に印加される高電圧が正側の放電開始電圧以上となっている放電時間（図７中「Ｔ２」参照）および負側の放電開始電圧以下となっている放電時間（図７中「Ｔ４」参照）に単位時間あたりのイオンの放出量が依存するという事情から、放電電極１１に印加される高電圧が正側の放電開始電圧以上となっている放電時間および負側の放電開始電圧以下となっている放電時間が短くなる分、単位時間あたりのイオンの放出量が低下することになり、その結果、除電能力が低下し、所望の除電能力を適切に得ることができなくなる。
【００１３】
本発明は、上記した事情に鑑みてなされたものであり、その目的は、単位時間あたりのイオンの放出量を増大させることにより、除電能力を高めることができ、所望の除電能力を適切に得ることができる除電装置を提供することにある。
【００１４】
【課題を解決するための手段】
請求項１に記載した除電装置は、
電源から印加された電圧を昇圧し、正極性および負極性のうちの一方の極性の高電圧を発生する高電圧発生手段と、
電源から印加された電圧を昇圧し、前記高電圧発生手段から発生される高電圧の略２分の１であって且つ正極性および負極性のうちの他方の極性の高電圧を基準電圧として発生する基準電圧発生手段と、
一方の極性の高電圧が印加されることにより、一方の極性のイオンを放出すると共に、他方の極性の高電圧がインピーダンス手段を介して印加されることにより、他方の極性のイオンを放出する放電電極と、
前記電源から前記高電圧発生手段への電圧の印加をオンオフするためのオンオフ動作を行うスイッチ手段とを備え、
前記高電圧発生手段は、前記スイッチ手段がオンオフ動作を連続的に行うことに応じて、前記基準電圧発生手段から基準電圧として出力された高電圧を基準として充電動作および放電動作を連続的に行って高電圧を断続的に出力し、
前記放電電極は、前記高電圧発生手段が高電圧を断続的に出力することに応じて、前記高電圧発生手段から出力された一方の極性の高電圧と前記基準電圧発生手段から基準電圧として出力された他方の極性の高電圧とが合成された高電圧と、前記基準電圧発生手段から基準電圧として出力された他方の極性の高電圧とが交互に印加されることにより、一方の極性のイオンと他方の極性のイオンとを交互に放出するように構成したところに特徴を有する。
【００１５】
このような構成によれば、スイッチ手段がオンオフ動作を連続的に行うと、高電圧発生手段が基準電圧発生手段から基準電圧として出力された高電圧を基準として充電動作および放電動作を行い、高電圧発生手段から出力された一方の極性の高電圧と基準電圧発生手段から基準電圧として出力された他方の極性の高電圧とが合成された高電圧と、基準電圧発生手段から基準電圧として出力された他方の極性の高電圧とが放電電極に交互に印加されることにより、放電電極から一方の極性のイオンと他方の極性のイオンとが交互に放出される。
【００１６】
したがって、正極性の高電圧発生回路および負極性の高電圧発生回路のそれぞれが接地レベル（０ボルト）を基準として充電動作および放電動作を行う従来のものとは異なって、一方の高電圧発生回路が充電動作を行うときの充電速度が他方の高電圧発生回路における放電動作の悪影響により鈍化されることはない。このようにして、放電電極に印加される高電圧が正側の放電開始電圧まで到達するのに要する立上がり時間を短くすることができ、または、放電電極に印加される高電圧が負側の放電開始電圧まで到達するのに要する立下がり時間を短くすることができ、全体として単位時間あたりのイオンの放出量を増大させることができる。これにより、除電能力を高めることができ、所望の除電能力を適切に得ることができる。
【００１７】
また、請求項２に記載した除電装置は、
前記インピーダンス手段に対して並列に接続され、前記スイッチ手段に連動し、前記スイッチ手段におけるオンオフ動作とは反対のオンオフ動作を行う別のスイッチ手段を備えて構成したところに特徴を有する。
【００１８】
このような構成によれば、スイッチ手段がオンしているときは、別のスイッチ手段がオフし、高電圧発生手段とインピーダンス手段とが電気的に接続された状態となるので、高電圧発生手段が充電動作を速やかに行うことができ、一方、スイッチ手段がオフしているときは、別のスイッチ手段がオンし、高電圧発生手段とインピーダンス手段とが電気的に接続されているものの、高電圧発生手段が放電動作を行うときのインピーダンス成分が低下するので、高電圧発生手段が放電動作を速やかに行うことができ、全体として単位時間あたりのイオンの放出量をより増大させることができる。これにより、除電能力をより高めることができ、所望の除電能力をより適切に得ることができる。
【００１９】
【発明の実施の形態】
以下、本発明の第１実施例について、図１、図２および図６を参照して説明する。まず、図１は、除電装置２１の電気的な構成を機能ブロック図として示している。除電装置２１は、昇圧回路２２および整流回路２３からなる高電圧発生回路２４（本発明でいう高電圧発生手段）と、基準電圧発生回路２５（本発明でいう基準電圧発生手段）と、放電電極２６と、抵抗２７（本発明でいうインピーダンス手段）と、スイッチ回路２８（本発明でいうスイッチ手段）とを備えて構成されている。
【００２０】
図２は、除電装置２１の電気回路図を示している。高電圧発生回路２４は、トランス２９と、４個のダイオードおよび４個のコンデンサからなる４段の倍電圧整流回路３０とから構成されている。トランス２９の１次側は、スイッチ回路２８を介して交流電源３１（本発明でいう電源）に接続されていると共に、トランス２９の２次側は、倍電圧整流回路３０の入力端子に接続され、倍電圧整流回路３０の出力端子は、放電電極２６に接続されている。このような構成により、高電圧発生回路２４は、交流電源３１から出力された交流電圧がスイッチ回路２８を介して印加されると、印加された交流電圧をトランス２９にて昇圧し、昇圧された交流電圧を倍電圧整流回路３０にて昇圧・整流し、正極性の高電圧を発生し、放電電極２６に出力する。
【００２１】
基準電圧発生回路２５は、トランス３２と、２個のダイオードおよび２個のコンデンサからなる２段の倍電圧整流回路３３とから構成されている。トランス３２の１次側は、交流電源３１に接続されていると共に、トランス３２の２次側は、倍電圧整流回路３３の入力端子に接続され、倍電圧整流回路３３の出力端子は、抵抗２７を介して放電電極２６に接続されている。このような構成により、基準電圧発生回路２５は、交流電源３１から出力された交流電圧が印加されると、印加された交流電圧をトランス３２にて昇圧し、昇圧された交流電圧を倍電圧整流回路３３にて昇圧・整流し、負極性の高電圧を基準電圧として発生し、抵抗２７を介して放電電極２６に出力する。
【００２２】
尚、高電圧発生回路２４から出力される正極性の高電圧および基準電圧発生回路２５から出力される負極性の高電圧は、直流電圧である。また、トランス２９が上記した昇圧回路２２に相当し、倍電圧整流回路３０が上記した整流回路２３に相当する。この場合、上記した構成では、昇圧回路２２と整流回路２３とを別々に設けているが、１つの回路が昇圧・整流する構成であっても良い。さらに、高電圧発生回路２４のトランス２９の昇圧能力と基準電圧発生回路２５のトランス３２の昇圧能力とは、同じであり、基準電圧発生回路２５の倍電圧整流回路３３の昇圧能力は、高電圧発生回路２４の倍電圧整流回路３０の昇圧能力の略２分の１である。
【００２３】
そして、基準電圧発生回路２５の倍電圧整流回路３３の出力端子は、高電圧発生回路２４にも接続されており、基準電圧発生回路２５から基準電圧として出力された負極性の高電圧が高電圧発生回路２４に印加されるように構成されている。
【００２４】
制御装置３４は、スイッチ回路２８のオンオフ動作を制御する。放電電極２６は、高電圧発生回路２４から出力された正極性の高電圧と基準電圧発生回路２５から基準電圧として出力された負極性の高電圧とが合成された高電圧が印加され、印加された正極性の高電圧が正側の放電開始電圧まで到達すると、正極性のイオンの放出を開始し、一方、基準電圧発生回路２５から基準電圧として出力された負極性の高電圧が抵抗２７を介して印加され、印加された負極性の高電圧が負側の放電開始電圧まで到達すると、負極性のイオンの放出を開始する。尚、スイッチ回路２８がオンオフ動作を行うことに応じて放電電極２６に印加される高電圧の周波数は、数十Ｈｚ程度である。
【００２５】
ところで、本実施例では、交流電源３１から出力された交流電圧が基準電圧発生回路２５に常に印加される構成であるが、例えば交流電源３１と基準電圧発生回路２５との間に電源スイッチ回路を接続することにより、当該電源スイッチ回路がオンしていることを条件として、交流電源３１から出力された交流電圧が基準電圧発生回路２５に印加される構成であっても良い。この場合、交流電源３１と、基準電圧発生回路２５およびスイッチ回路２８の接続点との間に電源スイッチ回路を接続するのが望ましい。
【００２６】
次に、上記した構成の作用について、図６を参照して説明する。
まず、除電装置２１が交流電源３１に接続された状態では、交流電源３１から出力された交流電圧が基準電圧発生回路２５に常に印加されることになる。基準電圧発生回路２５は、上記したように、交流電源３１から出力された交流電圧が印加されると、印加された交流電圧をトランス３２にて昇圧し、昇圧された交流電圧を倍電圧整流回路３３にて昇圧・整流し、負極性の高電圧を基準電圧として発生する。そして、放電電極２６は、基準電圧発生回路２５から基準電圧として出力された負極性の高電圧が抵抗２７を介して印加され、印加された負極性の高電圧が負側の放電開始電圧まで到達すると、負極性のイオンの放出を開始する。
【００２７】
さて、ここで、スイッチ回路２８がオンオフ動作を行った場合を説明する。ここでは、
（１）スイッチ回路２８がオフからオンに切替わったとき
（２）スイッチ回路２８がオンからオフに切替わったとき
をそれぞれ説明する。
【００２８】
（１）スイッチ回路２８がオフからオンに切替わったとき
スイッチ回路２８がオフからオンに切替わると、交流電源３１から出力された交流電圧がスイッチ回路２８を介して高電圧発生回路２４に印加されることになる。高電圧発生回路２４は、上記したように、交流電源３１から出力された交流電圧が印加されると、印加された交流電圧をトランス２９にて昇圧し、昇圧された交流電圧を倍電圧整流回路３０にて昇圧・整流し、正極性の高電圧を発生して出力する。このとき、高電圧発生回路２４は、基準電圧発生回路２５から基準電圧として出力された負極性の高電圧が印加されているので、倍電圧整流回路３０のコンデンサに電荷を蓄積する充電動作を当該基準電圧発生回路２５から基準電圧として印加されている負極性の高電圧を基準として行う。
【００２９】
そして、この場合は、基準電圧発生回路２５が負極性の高電圧を常に基準電圧として発生して出力しているので、高電圧発生回路２４から出力された正極性の高電圧と基準電圧発生回路２５から基準電圧として出力された負極性の高電圧とが合成された高電圧が放電電極２６に印加されることになる。
【００３０】
具体的に説明すると、基準電圧発生回路２５の倍電圧整流回路３３の昇圧能力が高電圧発生回路２４の倍電圧整流回路３０の昇圧能力の２分の１であるので、高電圧発生回路２４から出力された正極性の高電圧が「＋２Ｖ（ボルト）」であると仮定すると、基準電圧発生回路２５から基準電圧として出力された負極性の高電圧が「−Ｖ（ボルト）」となり、それらが合成された「＋Ｖ（ボルト）」の正極性の高電圧が放電電極２６に印加されることになる。そして、放電電極２６は、このようにして「＋Ｖ（ボルト）」の正極性の高電圧が印加され、印加された正極性の高電圧が正側の放電開始電圧まで到達すると、正極性のイオンの放出を開始する。
【００３１】
ここで、放電電極２６に印加される高電圧が負側の放電開始電圧から正側の放電開始電圧まで到達するのに要する立上がり時間について、図６（ａ）を参照して説明する。この場合、高電圧発生回路２４は、上記したように基準電圧発生回路２５から基準電圧として出力されている負極性の高電圧を基準として充電動作を行うことになるので、放電電極２６に印加される高電圧が負側の放電開始電圧（図６中「−Ｖａ」参照）から正側の放電開始電圧（図６中「＋Ｖａ」参照）まで到達するのに要する立上がり時間（図６中「Ｔ１１」参照）は、従来の構成における立上がり時間（図７中「Ｔ１」参照）よりも短くなる。そして、これに伴って、放電電極２６に印加される高電圧が正側の放電開始電圧以上となっている放電時間（図６中「Ｔ１２」参照）は、従来の構成における放電時間（図７中「Ｔ２」参照）よりも長くなり、その分、単位時間あたりの正極性のイオンの放出量が増大することになる。
【００３２】
（２）スイッチ回路２８がオンからオフに切替わったとき
スイッチ回路２８がオンからオフに切替わると、交流電源３１から出力された交流電圧がスイッチ回路２８を介して高電圧発生回路２４に印加されなくなる。このとき、高電圧発生回路２４は、基準電圧発生回路２５から基準電圧として出力された負極性の高電圧が印加されているので、倍電圧整流回路３０のコンデンサから電荷を放出する放電動作を当該基準電圧発生回路２５から基準電圧として印加されている負極性の高電圧を基準として行う。
【００３３】
そして、この場合は、基準電圧発生回路２５が負極性の高電圧を常に基準電圧として発生して出力しているので、基準電圧発生回路２５から基準電圧として出力された負極性の高電圧のみが放電電極２６に印加されることになる。
【００３４】
具体的に説明すると、基準電圧発生回路２５から基準電圧として出力された「−Ｖ（ボルト）」の負極性の高電圧のみが放電電極２６に印加されることになる。そして、放電電極２６は、このようにして「−Ｖ（ボルト）」の負極性の高電圧が印加され、印加された負極性の高電圧が負側の放電開始電圧まで到達すると、負極性のイオンの放出を開始する。
【００３５】
以上に説明したように第１実施例によれば、除電装置２１において、スイッチ回路２８がオンオフ動作を連続的に行うと、高電圧発生回路２４が基準電圧発生回路２５から基準電圧として出力された負極性の高電圧を基準として充電動作と放電動作とを交互に行い、高電圧発生回路２４から出力された正極性の高電圧と基準電圧発生回路２５から基準電圧として出力された負極性の高電圧とが合成された高電圧と、基準電圧発生回路２５から基準電圧として出力された負極性の高電圧とが放電電極２６に交互に印加されることにより、放電電極２６から正極性のイオンと負極性のイオンとが交互に放出されるように構成した。
【００３６】
したがって、高電圧発生回路および負極性の高電圧発生回路のそれぞれが接地レベル（０ボルト）を基準として充電動作および放電動作を行う従来のものとは異なって、一方の高電圧発生回路が充電動作を行うときの充電速度が他方の高電圧発生回路における放電動作の悪影響により鈍化されることはなく、放電電極２６に印加される高電圧が負側の放電開始電圧から正側の放電開始電圧まで到達するのに要する立上がり時間を短くすることができる。これにより、全体として単位時間あたりのイオンの放出量を増大させることができ、除電能力を高めることができ、所望の除電能力を適切に得ることができる。
【００３７】
（第２実施例）
次に、本発明の第２実施例について、図３および図６を参照して説明する。尚、上記した第１実施例と同一部分については説明を省略し、異なる部分について説明する。この第２実施例は、上記した第１実施例で説明した高電圧発生回路２４の倍電圧整流回路３０におけるダイオードの方向および基準電圧発生回路２５の倍電圧整流回路３３におけるダイオードの方向を反対にすることにより、高電圧発生回路が負極性の高電圧を発生すると共に、基準電圧発生回路が正極性の高電圧を基準電圧として発生するように構成したものである。
【００３８】
すなわち、除電装置４１において、高電圧発生回路４２（本発明でいう高電圧発生手段）の倍電圧整流回路４３におけるダイオードの方向は、上記した第１実施例で説明した高電圧発生回路２４の倍電圧整流回路３０におけるダイオードの方向とは反対になっており、交流電源３１から出力された交流電圧がスイッチ回路２８を介して印加されると、負極性の高電圧を発生し、放電電極２６に出力する。
【００３９】
また、基準電圧発生回路４４（本発明でいう基準電圧発生手段）の倍電圧整流回路４５におけるダイオードの方向は、上記した第１実施例で説明した基準電圧発生回路２５の倍電圧整流回路３３におけるダイオードの方向とは反対になっており、交流電源３１から出力された交流電圧が印加されると、正極性の高電圧を基準電圧として発生し、抵抗２７を介して放電電極２６に出力する。
【００４０】
ここで、放電電極２６に印加される高電圧が正側の放電開始電圧から負側の放電開始電圧まで到達するのに要する立下がり時間について、図６（ｂ）を参照して説明する。この場合、高電圧発生回路４２は、基準電圧発生回路４４から基準電圧として出力されている正極性の高電圧を基準として充電動作を行うことになるので、放電電極２６に印加される高電圧が正側の放電開始電圧から負側の放電開始電圧まで到達するのに要する立下がり時間（図６中「Ｔ２３」参照）は、従来の構成における立下がり時間（図７中「Ｔ３」参照）よりも短くなる。そして、これに伴って、放電電極２６に印加される高電圧が負側の放電開始電圧以下となっている放電時間（図６中「Ｔ２４」参照）は、従来の構成における放電時間（図７中「Ｔ４」参照）よりも長くなり、その分、単位時間あたりの負極性のイオンの放出量が増大することになる。
【００４１】
以上に説明したように第２実施例によれば、除電装置４１において、高電圧発生回路４２および基準電圧発生回路４４の正負の特性のみが上記した第１実施例に記載したものと相違し、他の部分については上記した第１実施例に記載したものと同様の構成であるので、上記した第１実施例に記載したものと同様の作用効果を得ることができる。すなわち、この場合は、放電電極２６に印加される高電圧が正側の放電開始電圧から負側の放電開始電圧まで到達するのに要する立下がり時間を短くすることができる。これにより、全体として単位時間あたりのイオンの放出量を増大させることができ、除電能力を高めることができ、所望の除電能力を適切に得ることができる。
【００４２】
（第３実施例）
次に、本発明の第３実施例について、図４および図７を参照して説明する。尚、上記した第１実施例と同一部分については説明を省略し、異なる部分について説明する。この第３実施例は、上記した第１実施例で説明した抵抗２７に対して並列に別のスイッチ回路を接続し、別のスイッチ回路が上記した第１実施例で説明したスイッチ回路２８とは反対のオンオフ動作を行うように構成したものである。
【００４３】
すなわち、除電装置５１において、抵抗２７に対して並列に別のスイッチ回路５２（本発明でいう別のスイッチ手段）が接続されている。別のスイッチ回路５２は、スイッチ回路２８とは反対のオンオフ動作を行う。このような構成では、スイッチ回路２８がオフからオンに切替わると、別のスイッチ回路５２がオンからオフに切替わる。この場合は、上記した第１実施例に記載したものと電気的に等価となる。
【００４４】
これに対して、スイッチ回路２８がオンからオフに切替わると、別のスイッチ回路５２がオフからオンに切替わる。この場合は、上記した第１実施例に記載したものとは異なって、高電圧発生回路２４と抵抗２７とが電気的に接続されているものの、高電圧発生回路２４が放電動作を行うときのインピーダンス成分が低下することになる。
【００４５】
ここでも、放電電極２６に印加される高電圧が負側の放電開始電圧から正側の放電開始電圧まで到達するのに要する立上がり時間および正側の放電開始電圧から負側の放電開始電圧まで到達するのに要する立下がり時間について、図７（ａ）を参照して説明する。この場合、放電電極２６に印加される高電圧が負側の放電開始電圧から正側の放電開始電圧まで到達するのに要する立上がり時間（図７中「Ｔ３１」参照）は、上記した第１実施例の構成における立上がり時間（図６中「Ｔ１１」参照）と同様にして、従来の構成における立上がり時間（図７中「Ｔ１」参照）よりも短くなる。そして、これに伴って、放電電極２６に印加される高電圧が正側の放電開始電圧以上となっている放電時間（図７中「Ｔ３２」参照）は、従来の構成における放電時間（図７中「Ｔ２」参照）よりも長くなり、その分、単位時間あたりの正極性のイオンの放出量が増大することになる。
【００４６】
一方、放電電極２６に印加される高電圧が正側の放電開始電圧から負側の放電開始電圧まで到達するのに要する立下がり時間（図７中「Ｔ３３」参照）は、上記したようにインピーダンス成分が低下する分、上記した第１実施例の構成における立下がり時間（図６中「Ｔ１３」参照）（従来の構成における立下がり時間（図６中「Ｔ３」参照））よりも短くなる。そして、これに伴って、放電電極２６に印加される高電圧が負側の放電開始電圧以下となっている放電時間（図７「Ｔ３４」参照）は、上記した第１実施例の構成における放電時間（図６中「Ｔ１４」参照）（従来の構成における放電時間（図６中「Ｔ４」参照））よりも長くなり、その分、単位時間あたりの負極性のイオンの放出量も増大することになる。
【００４７】
以上に説明したように第３実施例によれば、除電装置５１において、抵抗２７に対して並列に接続され、スイッチ回路２８におけるオンオフ動作とは反対のオンオフ動作を行う別のスイッチ回路５２を備えて構成したので、スイッチ回路２８がオフしているときは、別のスイッチ回路５２がオンし、高電圧発生回路２４が放電動作を行うときのインピーダンス成分が低下するので、高電圧発生回路２４が放電動作を速やかに行うことができ、全体として単位時間あたりのイオンの放出量をより増大させることができる。これにより、除電能力をより高めることができ、所望の除電能力をより適切に得ることができる。
【００４８】
（その他の実施例）
本発明は、上記した実施例にのみ限定されるものではなく、以下のように変形または拡張することができる。
基準電圧発生回路は、交流電源から印加された交流電圧に基づいて基準電圧となる高電圧を発生する構成に限らず、直流電源から印加された直流電圧に基づいて基準電圧となる高電圧を発生する構成であっても良い。
【００４９】
高電圧発生回路および基準電圧発生回路は、トランスが省略されている構成、つまり、倍電圧整流回路のみにて昇圧する構成であっても良い。
第２実施例に、第３実施例に記載した別のスイッチ回路を適用した構成であっても良い。
【００５０】
【発明の効果】
以上の説明から明らかなように、本発明の除電装置によれば、スイッチ手段がオンオフ動作を連続的に行うと、高電圧発生手段が基準電圧発生手段から基準電圧として出力された高電圧を基準として充電動作および放電動作を行い、高電圧発生手段から出力された他方の極性の高電圧と基準電圧発生手段から基準電圧として出力された一方の極性の高電圧とが合成された高電圧と、基準電圧発生手段から基準電圧として出力された一方の極性の高電圧とが放電電極に交互に印加されることにより、放電電極から一方の極性のイオンと他方の極性のイオンとが交互に放出されるように構成した。
【００５１】
したがって、放電電極に印加される高電圧が負側の放電開始電圧から正側の放電開始電圧まで到達するのに要する立上がり時間を短くすることができ、または、放電電極に印加される高電圧が正側の放電開始電圧から負側の放電開始電圧まで到達するのに要する立下がり時間を短くすることができ、全体として単位時間あたりのイオンの放出量を増大させることができ、これにより、除電能力を高めることができ、所望の除電能力を適切に得ることができる。
【図面の簡単な説明】
【図１】本発明の第１実施例を示す機能ブロック図
【図２】電気回路図
【図３】本発明の第２実施例を示す電気回路図
【図４】本発明の第３実施例を示す電気回路図
【図５】従来例を示す電気回路図
【図６】波形図
【図７】図６相当図
【符号の説明】
図面中、２１は除電装置、２４は高電圧発生回路（高電圧発生手段）、２５は基準電圧発生回路（基準電圧発生手段）、２６は放電電極、２７は抵抗（インピーダンス手段）、２８はスイッチ回路（スイッチ手段）、３１は交流電源（電源）、４１は除電装置、４２は高電圧発生回路（高電圧発生手段）、４４は基準電圧発生回路（基準電圧発生手段）、５１は除電装置、５２は別のスイッチ回路（別のスイッチ手段）である。
【図１】
2004055442.tif 000003
【図２】
2004055442.tif 000004
【図３】
2004055442.tif 000005
【図４】
2004055442.tif 000006
【図５】
2004055442.tif 000007
【図６】
2004055442.tif 000008
【図７】
2004055442.tif 000009